(57)【要約】【課題】バランスウエイトを安定した状態で上下に積み重ねることができ、かつ、バランスウエイトの着脱作業が容易な作業機用のバランスウエイトが要望されている。【解決手段】上下に積み重ねて機体に取付可能な作業機用のバランスウエイト１０であって、下面に突設された左右一対のボス部１２と、上面のうち平面視でボス部１２と対応する位置に形成された左右一対の第一凹入部１３と、第一凹入部１３を横外方向きに開放させる左右一対の開放部１７と、第一凹入部１３とボス部１２とに亘る直線状の左右一対の貫通孔１８と、を備え、上下に積み重ねる際に、互いに積み重なるバランスウエイト１０の左右一対のボス部１２と左右一対の第一凹入部１３とが嵌り合って、互いに積み重なるバランスウエイト１０の左右一対の貫通孔１８同士の平面位置が揃うように構成されている。【選択図】図５
2016010386.tif 000002
【特許請求の範囲】
【請求項１】
上下に積み重ねて機体に取付可能な作業機用のバランスウエイトであって、
上下一方側の面に突設された左右一対のボス部と、
上下他方側の面のうち平面視で前記ボス部と対応する位置に形成された左右一対の凹入部と、
前記凹入部を横外方向きに開放させる左右一対の開放部と、
前記凹入部と前記ボス部とに亘る直線状の左右一対の貫通孔と、を備え、
上下に積み重ねる際に、互いに積み重なるバランスウエイトの左右一対の前記ボス部と左右一対の前記凹入部とが嵌り合って、互いに積み重なるバランスウエイトの左右一対の前記貫通孔同士の平面位置が揃うように構成されている作業機用のバランスウエイト。
【請求項２】
前記凹入部に隣接する状態で、上下他方側の面に前記凹入部の底面よりも浅い左右一対の中段部が形成されている請求項１に記載の作業機用のバランスウエイト。
【請求項３】
上下他方側の面のうち左右一対の前記貫通孔に対して前方又は後方の位置に形成された左右一対の別の凹入部と、
前記別の凹入部から前記貫通孔と平行に延びる左右一対のネジ孔と、を備え、
上下に積み重ねる際に、互いに積み重なるバランスウエイトの左右一対の前記ボス部と左右一対の前記別の凹入部とが嵌り合って、互いに積み重なるバランスウエイトの左右一対の前記貫通孔の平面位置と左右一対の前記ネジ孔の平面位置とが揃うように構成されている請求項１又は２に記載の作業機用のバランスウエイト。
【発明の詳細な説明】
【技術分野】
【０００１】
本発明は、上下に積み重ねて機体に取付可能な作業機用のバランスウエイトに関する。
【背景技術】
【０００２】
上記のようなバランスウエイトとして、例えば、特許文献１に記載の技術が既に知られている。特許文献１に記載のバランスウエイト（文献では「重錘」）では、バランスウエイトの下面にボス部（文献では「角形突出部」）が突設されている。バランスウエイトの上面のうち平面視でボス部と対応する位置に凹入部（文献では「角型嵌止溝」）が形成されている。凹入部とボス部とに亘って、直線状の貫通孔（文献では「嵌挿孔」）が形成されている。
【０００３】
このような構成により、特許文献１に記載のバランスウエイトでは、下側のバランスウエイトの凹入部と上側のバランスウエイトのボス部とを嵌め合うことにより、下側のバランスウエイトの貫通孔の平面位置と上側のバランスウエイトの貫通孔の平面位置とを揃えることができる。そして、上側のバランスウエイトの貫通孔と下側のバランスウエイトの貫通孔とに、締螺杆を上方から差し込むことにより、上側のバランスウエイトと下側のバランスウエイトとを一箇所で固定することができる。
【先行技術文献】
【特許文献】
【０００４】
【特許文献１】実公昭３４−０２１１０８号公報
【発明の概要】
【発明が解決しようとする課題】
【０００５】
特許文献１に記載のバランスウエイトでは、上側のバランスウエイトと下側のバランスウエイトとが、一箇所でしか固定されておらず、バランスウエイトを安定した状態で上下に積み重ねる点で改善の余地がある。また、バランスウエイトを上下に積み重ねた状態では、上側のバランスウエイトと下側のバランスウエイトとの間に手を入れ難く、バランスウエイトを持ち難いことから、バランスウエイトの着脱作業を容易に行う点でも改善の余地がある。
【０００６】
上記状況に鑑み、バランスウエイトを安定した状態で上下に積み重ねることができ、かつ、バランスウエイトの着脱作業が容易な作業機用のバランスウエイトが要望されている。
【課題を解決するための手段】
【０００７】
本発明の特徴は、
上下に積み重ねて機体に取付可能な作業機用のバランスウエイトであって、
上下一方側の面に突設された左右一対のボス部と、
上下他方側の面のうち平面視で前記ボス部と対応する位置に形成された左右一対の凹入部と、
前記凹入部を横外方向きに開放させる左右一対の開放部と、
前記凹入部と前記ボス部とに亘る直線状の左右一対の貫通孔と、を備え、
上下に積み重ねる際に、互いに積み重なるバランスウエイトの左右一対の前記ボス部と左右一対の前記凹入部とが嵌り合って、互いに積み重なるバランスウエイトの左右一対の前記貫通孔同士の平面位置が揃うように構成されていることにある。
【０００８】
本特徴構成によれば、一方のバランスウエイトの左右一対の凹入部と他方のバランスウエイトの左右一対のボス部とを嵌め合うことにより、一方のバランスウエイトの左右一対の貫通孔の平面位置と他方のバランスウエイトの左右一対の貫通孔の平面位置とを揃えることができる。そして、一方のバランスウエイトの左右一対の貫通孔と他方のバランスウエイトの左右一対の貫通孔とにボルトを差し込むことにより、一方のバランスウエイトと他方のバランスウエイトとを二箇所で固定することができる。したがって、バランスウエイトを安定した状態で上下に積み重ねることができる。
【０００９】
また、バランスウエイトを上下に積み重ねた状態で、一方のバランスウエイトの左右一対の開放部から、一方のバランスウエイトと他方のバランスウエイトとの間に手を入れて上側のバランスウエイトを持つことができる。したがって、バランスウエイトの着脱作業を容易に行うことができる。
【００１０】
さらに、本発明において、
前記凹入部に隣接する状態で、上下他方側の面に前記凹入部の底面よりも浅い左右一対の中段部が形成されていると好適である。
【００１１】
本特徴構成によれば、上述のように、一方のバランスウエイトの左右一対の凹入部と他方のバランスウエイトの左右一対のボス部とを嵌め合う際に、他方のバランスウエイトのボス部を一方のバランスウエイトの中段部に当接させることにより、凹入部とボス部とを直接的に嵌め合うよりも、凹入部の位置の見当を付け易い。したがって、一方のバランスウエイトの左右一対の凹入部と他方のバランスウエイトの左右一対のボス部とを容易に嵌め合うことができる。
【００１２】
つまり、他方のバランスウエイトのボス部を、一方のバランスウエイトの中段部に当接させることにより、一方のバランスウエイトの上下他方側の面における凹入部の位置を、中段部に隣接する範囲に絞り込むことができる。そして、凹入部の位置を中段部に隣接する範囲で絞り込めばよい。このように、凹入部の位置を一方のバランスウエイトの上下他方側の面全体の範囲から順々に絞り込むことにより、凹入部の位置を一方のバランスウエイトの上下他方側の面全体の範囲から一回で特定するよりも、凹入部の位置を容易に特定することができる。
【００１３】
さらに、本発明において、
上下他方側の面のうち左右一対の前記貫通孔に対して前方又は後方の位置に形成された左右一対の別の凹入部と、
前記別の凹入部から前記貫通孔と平行に延びる左右一対のネジ孔と、を備え、
上下に積み重ねる際に、互いに積み重なるバランスウエイトの左右一対の前記ボス部と左右一対の前記別の凹入部とが嵌り合って、互いに積み重なるバランスウエイトの左右一対の前記貫通孔の平面位置と左右一対の前記ネジ孔の平面位置とが揃うように構成されていると好適である。
【００１４】
本特徴構成によれば、一方のバランスウエイトの左右一対の凹入部又は左右一対の別の凹入部の何れと、他方のバランスウエイトの左右一対のボス部を嵌め合せるかによって、バランスウエイトの積み重ね方を選択することができる。例えば、上側のバランスウエイトの前端位置と下側のバランスウエイトの前端位置とが揃う状態で、バランスウエイトを上下に積み重ねたり、上側のバランスウエイトの前端位置が下側のバランスウエイトの前端位置よりも前方に位置する状態で、バランスウエイトを上下に積み重ねたりすることができる。
【図面の簡単な説明】
【００１５】
【図１】管理機を示す左側面図である。
【図２】管理機を示す平面図である。
【図３】バランスウエイトの取付け状態を示す斜視図である。
【図４】バランスウエイトの取付け状態を示す左側面断面図である。
【図５】バランスウエイトを示す平面図である。
【図６】バランスウエイトの左側面図である。
【図７】図５におけるＶＩＩ−ＶＩＩ断面図である。
【図８】図５におけるＶＩＩＩ−ＶＩＩＩ断面図である。
【図９】バランスウエイトの左端部を示す拡大平面図である。
【図１０】バランスウエイトの積み重ね方を示す左側面図である。
【図１１】第一の別実施形態に係るバランスウエイトの積み重ね方を示す左側面図である。
【図１２】第二の別実施形態に係るバランスウエイトの積み重ね方を示す左側面図である。
【発明を実施するための形態】
【００１６】
本発明を実施するための形態について、図面に基づき説明する。
【００１７】
〔管理機の全体構成〕
図１及び図２には、本発明に係る「作業機」の一例として、歩行型の管理機を示している。なお、以下では、図１及び図２に示す矢印Ｆの方向を「前方」として説明する。
【００１８】
この管理機は、左右一対の車輪１Ａを支持するミッションケース１を備えている。ミッションケース１の上部には、操縦ハンドル２が上下向きの軸心Ｙ周りで回動可能に設けられている。操縦ハンドル２は、軸心Ｙから後方に延びる状態（図１に示す状態）と前方に延びる状態とに位置変更可能に構成されている。ミッションケース１の後部には、後ヒッチ３が設けられている。後ヒッチ３には、作業装置として、例えば、ロータリー式の耕耘装置（図示省略）を装着することができる。
【００１９】
ミッションケース１の前部には、エンジンフレーム４が前方に延びる片持ち状に連結されている。エンジンフレーム４上には、エンジン５が搭載されている。エンジン５の動力は、ベルト伝動機構６によってミッションケース１に伝達される。
【００２０】
エンジンフレーム４の前端部には、前ヒッチ７が設けられている。前ヒッチ７には、前記作業装置の重量に対応する複数のバランスウエイト１０を取り付けることができる。本実施形態では、前ヒッチ７に、例えば、三つのバランスウエイト１０が上下に積み重ねて取り付けられている。三つのバランスウエイト１０は、全て同一の形状である。つまり、三つのバランスウエイト１０は、互いに兼用可能に構成されている。
【００２１】
〔バランスウエイト〕
図３及び図４に示すように、三つのバランスウエイト１０は、最上段のバランスウエイト１０の前端位置及び中間段のバランスウエイト１０の前端位置が、最下段のバランスウエイト１０の前端位置よりも前方で揃う状態で、上下に積み重ねられている。最下段のバランスウエイト１０は、前ヒッチ７にピン２１で固定されている。バランスウエイト１０には、ピン２１を差し込み可能なピン孔１０ａと、最下段のバランスウエイト１０に隣接して上下に積み重ねられた際にピン２１との干渉を避けるための逃し溝１０ｂと、が形成されている。最下段のバランスウエイト１０の後面には、前ヒッチ７を前後方向に貫通す左右一対のボルト２２が当接されている。最上段のバランスウエイト１０及び中間段のバランスウエイト１０は、最下段のバランスウエイト１０にボルト２３で固定されている。
【００２２】
図５から図８に示すように、バランスウエイト１０は、左右方向の中心Ｃに対して左右対称な形状に形成されている。バランスウエイト１０には、その左右両端部が後方に延びる左右一対の延出部１１・１１が形成されている。なお、以下では、バランスウエイト１０のうち左右対称な構成については、バランスウエイト１０のうち左右一方側の構成を中心に説明し、必要に応じて、バランスウエイト１０のうち左右他方側の構成を説明する。
【００２３】
バランスウエイト１０の下面には、左右一対のボス部１２・１２が突設されている。バランスウエイト１０の上面には、左右一対の第一凹入部１３・１３（本発明に係る「凹入部」に相当）、左右一対の第二凹入部１４・１４（本発明に係る「別の凹入部」に相当）、左右一対の第一中段部１５・１５（本発明に係る「中段部」に相当）、左右一対の第二中段部１６・１６及び左右一対の開放部１７・１７が形成されている。
【００２４】
〔ボス部〕
左右一対のボス部１２・１２のうち左側のボス部１２は、左右一対の延出部１１・１１のうち左側の延出部１１の下面から下方に突出するように設けられている。左右一対のボス部１２・１２のうち右側のボス部１２は、左右一対の延出部１１・１１のうち右側の延出部１１の下面から下方に突出するように設けられている。ボス部１２は、略円筒形状に形成されている。
【００２５】
〔第一凹入部〕
左右一対の第一凹入部１３・１３のうち左側の第一凹入部１３は、バランスウエイト１０の上面のうち平面視で左側のボス部１２と対応する位置に形成されている。左右一対の第一凹入部１３・１３のうち右側の第一凹入部１３は、バランスウエイト１０の上面のうち平面視で右側のボス部１２と対応する位置に形成されている。第一凹入部１３は、バランスウエイト１０の天端面１０Ａに対して下方に凹入するように形成されている。第一凹入部１３は、ボス部１２の外周部の一部と形状が合う第一円弧部１０ｃを有している。
【００２６】
〔貫通孔〕
第一凹入部１３とボス部１２とに亘る直線状の左右一対の貫通孔１８・１８が形成されている。左右一対の貫通孔１８・１８のうち左側の貫通孔１８は、左側の第一凹入部１３と左側のボス部１２とに亘るように形成されている。左右一対の貫通孔１８・１８のうち右側の貫通孔１８は、右側の第一凹入部１３と右側のボス部１２とに亘るように形成されている。貫通孔１８の内周面には、ねじ加工が施されていない。貫通孔１８の軸心は、第一円弧部１０ｃの中心とボス部１２の軸心と同じ位置Ｐ１に配置されている。
【００２７】
〔第二凹入部〕
左右一対の第二凹入部１４・１４のうち左側の第二凹入部１４は、バランスウエイト１０の上面のうち左側の貫通孔１８に対して前方の位置に形成されている。左右一対の第二凹入部１４・１４のうち右側の第二凹入部１４は、バランスウエイト１０の上面のうち右側の貫通孔１８に対して前方の位置に形成されている。第二凹入部１４は、バランスウエイト１０の天端面１０Ａに対して下方に凹入するように形成されている。第二凹入部１４は、ボス部１２の外周部の一部と形状が合う第二円弧部１０ｄを有している。
【００２８】
〔ネジ孔〕
第二凹入部１４から貫通孔１８と平行に直線状に延びる左右一対のネジ孔１９・１９が形成されている。左右一対のネジ孔１９・１９のうち左側のネジ孔１９は、左側の貫通孔１８に対して前方の位置に形成されている。左右一対のネジ孔１９・１９のうち右側のネジ孔１９は、右側の貫通孔１８に対して前方の位置に形成されている。ネジ孔１９の内周面には、ねじ加工が施されている。ネジ孔１９の軸心は、第二円弧部１０ｄの中心と同じ位置Ｐ２に配置されている。ネジ孔１９の先端部は、バランスウエイト１０の下面まで到達していない。つまり、ネジ孔１９は、第二凹入部１４とバランスウエイト１０の下面とに亘る貫通孔ではない。
【００２９】
〔第一中段部及び第二中段部〕
第一中段部１５は、第一凹入部１３及び第二凹入部１４に隣接する状態でバランスウエイト１０の上面に形成されている。第二中段部１６は、第二凹入部１４に隣接する状態でバランスウエイト１０の上面に形成されている。第一中段部１５及び第二中段部１６は、上下方向において、バランスウエイト１０の天端面１０Ａと第一凹入部１３及び第二凹入部１４との間に位置している。つまり、第一中段部１５及び第二中段部１６は、バランスウエイト１０の天端面１０Ａを基準にして、第一凹入部１３の底面及び第二凹入部１４の底面よりも浅い位置に形成されている。また、第一中段部１５は、バランスウエイト１０の天端面１０Ａを基準にして、第二中段部１６よりも浅い位置に形成されている。
【００３０】
〔開放部〕
左右一対の開放部１７・１７のうち左側の開放部１７は、左側の第一凹入部１３及び左側の第二凹入部１４を左横外方向き及び後外方向きに開放させている。左右一対の開放部１７・１７のうち右側の開放部１７は、右側の第一凹入部１３及び右側の第二凹入部１４を右横外方向き及び後外方向きに開放させている。開放部１７は、第四円弧部１０ｆのうち第一円弧部１０ｃとは反対側の端部と第五円弧部１０ｇのうち直線部１０ｈとは反対側の端部とに亘るように形成されている。
【００３１】
〔第一凹入部及び第二凹入部の詳細構成〕
図９に示すように、第一凹入部１３と第二凹入部１４とは、互いに連続するように形成されている。第一円弧部１０ｃと第二円弧部１０ｄとは、第三円弧部１０ｅを介して接続されている。第一円弧部１０ｃのうち第三円弧部１０ｅとは反対側の端部には、第四円弧部１０ｆが接続されている。第二円弧部１０ｄのうち第三円弧部１０ｅとは反対側の端部には、左右方向に延びる直線部１０ｈが接続されている。直線部１０ｈのうち第二円弧部１０ｄとは反対側の端部には、第五円弧部１０ｇが接続されている。
【００３２】
〔バランスウエイトの積み重ね方〕
図１０に示すように、最下段のバランスウエイト１０の左右一対の第二凹入部１４と中間段のバランスウエイト１０の左右一対のボス部１２とを嵌め合うことにより、最下段のバランスウエイト１０の左右一対のネジ孔１９の平面位置と中間段のバランスウエイト１０の左右一対の貫通孔１８の平面位置とを揃えることができる。そして、中間段のバランスウエイト１０の左右一対の第一凹入部１３と最上段のバランスウエイト１０の左右一対のボス部１２とを嵌め合うことにより、中間段のバランスウエイト１０の左右一対の貫通孔１８の平面位置と最上段のバランスウエイト１０の左右一対の貫通孔１８の平面位置とを揃えることができる。そして、最上段のバランスウエイト１０の左右一対の貫通孔１８と中間段のバランスウエイト１０の左右一対の貫通孔１８と最下段のバランスウエイト１０の左右一対のネジ孔１９とに、ボルト２３を上方から差し込むことにより、最上段のバランスウエイト１０と中間段のバランスウエイト１０と最下段のバランスウエイト１０とを、二箇所で固定することができる。
【００３３】
ここで、バランスウエイト１０を上下に積み重ねた状態で、下側のバランスウエイト１０の左右一対の開放部１７から、上側のバランスウエイト１０と下側のバランスウエイト１０との間に手を入れて上側のバランスウエイト１０を持つことができる。バランスウエイト１０を上下に積み重ねた状態で、上側のバランスウエイト１０のボス部１２は、下側のバランスウエイト１０の開放部１７を介して横外方及び後外方に露出している。
【００３４】
また、上述のように、最下段のバランスウエイト１０の左右一対の第二凹入部１４と中間段のバランスウエイト１０の左右一対のボス部１２とを嵌め合う際に、中間段のバランスウエイト１０のボス部１２を、最下段のバランスウエイト１０の第一中段部１５又は第二中段部１６に当接させることにより、第二凹入部１４とボス部１２とを直接的に嵌め合うよりも、第二凹入部１４の位置の見当を付け易い。同様に、中間段のバランスウエイト１０の左右一対の第一凹入部１３と最上段のバランスウエイト１０の左右一対のボス部１２とを嵌め合う際に、最上段のバランスウエイト１０のボス部１２を、中間段のバランスウエイト１０の第一中段部１５に当接させることにより、第一凹入部１３とボス部１２とを直接的に嵌め合うよりも、第一凹入部１３の位置の見当を付け易い。
【００３５】
つまり、中間段のバランスウエイト１０のボス部１２を、最下段のバランスウエイト１０の第一中段部１５又は第二中段部１６に当接させることにより、最下段のバランスウエイト１０の上面における第二凹入部１４の位置を、第一中段部１５又は第二中段部１６に隣接する範囲に絞り込むことができる。そして、第二凹入部１４の位置を第一中段部１５又は第二中段部１６に隣接する範囲で絞り込めばよい。同様に、最上段のバランスウエイト１０のボス部１２を、中間段のバランスウエイト１０の第一中段部１５に当接させることにより、中間段のバランスウエイト１０の上面における第一凹入部１３の位置を、第一中段部１５に隣接する範囲に絞り込むことができる。そして、第一凹入部１３の位置を第一中段部１５に隣接する範囲で絞り込めばよい。このように、第一凹入部１３及び第二凹入部１４の位置をバランスウエイト１０の上面全体の範囲から順々に絞り込む（段階的に絞り込む）ことにより、第一凹入部１３及び第二凹入部１４の位置をバランスウエイト１０の上面全体の範囲から一回で特定するよりも、第一凹入部１３及び第二凹入部１４の位置を容易に特定することができる。
【００３６】
〔別実施形態〕
（１）上記実施形態において、三つのバランスウエイト１０は、最上段のバランスウエイト１０の前端位置及び中間段のバランスウエイト１０の前端位置が、最下段のバランスウエイト１０の前端位置よりも前方で揃う状態で、上下に積み重ねられているが、本発明はこれに限定されない。例えば、図１１に示すように、三つのバランスウエイト１０は、中間段のバランスウエイト１０の前端位置が最下段のバランスウエイト１０の前端位置よりも前方に位置し、かつ、最上段のバランスウエイト１０の前端位置が中間段のバランスウエイト１０の前端位置よりも前方に位置する状態で、上下に積み重ねられていてもよい。
【００３７】
図１１に示すように、最下段のバランスウエイト１０の左右一対の第二凹入部１４と中間段のバランスウエイト１０の左右一対のボス部１２とを嵌め合うことにより、最下段のバランスウエイト１０の左右一対のネジ孔１９の平面位置と中間段のバランスウエイト１０の左右一対の貫通孔１８の平面位置とを揃えることができる。そして、中間段のバランスウエイト１０の左右一対の貫通孔１８と最下段のバランスウエイト１０の左右一対のネジ孔１９とに、ボルト１２３を上方から差し込むことにより、中間段のバランスウエイト１０と最下段のバランスウエイト１０とを、二箇所で固定することができる。
【００３８】
また、中間段のバランスウエイト１０の左右一対の第二凹入部１４と最上段のバランスウエイト１０の左右一対のボス部１２とを嵌め合うことにより、中間段のバランスウエイト１０の左右一対のネジ孔１９の平面位置と最上段のバランスウエイト１０の左右一対の貫通孔１８の平面位置とを揃えることができる。そして、最上段のバランスウエイト１０の左右一対の貫通孔１８と中間段のバランスウエイト１０の左右一対のネジ孔１９とに、ボルト１２３を上方から差し込むことにより、最上段のバランスウエイト１０と中間段のバランスウエイト１０とを、二箇所で固定することができる。
【００３９】
また、図１２に示すように、三つのバランスウエイト１０は、最上段のバランスウエイト１０の前端位置と中間段のバランスウエイト１０の前端位置と最下段のバランスウエイト１０の前端位置とが全て揃う状態で、上下に積み重ねられていてもよい。
【００４０】
図１２に示すように、最下段のバランスウエイト１０の左右一対の第一凹入部１３と中間段のバランスウエイト１０の左右一対のボス部１２とを嵌め合うことにより、最下段のバランスウエイト１０の左右一対の貫通孔１８の平面位置と中間段のバランスウエイト１０の左右一対の貫通孔１８の平面位置とを揃えることができる。そして、中間段のバランスウエイト１０の左右一対の第一凹入部１３と最上段のバランスウエイト１０の左右一対のボス部１２とを嵌め合うことにより、中間段のバランスウエイト１０の左右一対の貫通孔１８の平面位置と最上段のバランスウエイト１０の左右一対の貫通孔１８の平面位置とを揃えることができる。そして、最上段のバランスウエイト１０の左右一対の貫通孔１８と中間段のバランスウエイト１０の左右一対の貫通孔１８と最下段のバランスウエイト１０の左右一対の貫通孔１８とに、ボルト２２３を上方から差し込むことにより、最上段のバランスウエイト１０と中間段のバランスウエイト１０と最下段のバランスウエイト１０とを、二箇所で固定することができる。なお、ボルト２２３の先端部には、ナット２２３ａを取り付ければよい。
この別実施形態では、バランスウエイト１０に、左右一対の第二凹入部１４及び左右一対のネジ孔１９が形成されていなくてもよい。
【００４１】
（２）上記実施形態では、バランスウエイト１０の下面に、左右一対のボス部１２が突設され、バランスウエイト１０の上面に、左右一対の第一凹入部１３及び左右一対の第二凹入部１４が形成されているが、バランスウエイト１０の上面に、左右一対のボス部１２が突設され、バランスウエイト１０の下面に、左右一対の第一凹入部１３及び左右一対の第二凹入部１４が形成されていてもよい。
【００４２】
（３）上記実施形態において、開放部１７は、第一凹入部１３を横外方向き及び後外向きに開放させているが、横外方向きにのみ開放させていてもよい。
【００４３】
（４）上記実施形態では、貫通孔１８に対して前方に左右一対の第二凹入部１４及び左右一対のネジ孔１９が形成されているが、貫通孔１８に対して後方に左右一対の第二凹入部１４及び左右一対のネジ孔１９が形成されていてもよい。
【００４４】
（５）上記実施形態において、第一凹入部１３と第二凹入部１４とは、連続するように形成されているが、第一凹入部１３と第二凹入部１４との間に、第一凹入部１３と第二凹入部１４とを仕切る仕切部が設けられていてもよい。
【００４５】
（６）上記実施形態において、ネジ孔１９の先端部は、バランスウエイト１０の下面まで到達していないが、バランスウエイト１０の下面まで到達していてもよい。つまり、ネジ孔１９は、第二凹入部１４とバランスウエイト１０の下面とに亘る貫通孔でもよい。
【００４６】
（７）上記実施形態では、三つのバランスウエイト１０が備えられているが、前記作業装置の重量に対応していれば、二つ又は四つ以上のバランスウエイト１０が備えられていてもよい。
【００４７】
なお、本発明は、上記実施形態及び上記別実施形態に限定されるものではなく、その他種々の変更が可能である。
【産業上の利用可能性】
【００４８】
本発明は、歩行型の管理機の他、自走型の管理機、トラクタその他作業機用のバランスウエイトにも利用可能である。
【符号の説明】
【００４９】
１０  バランスウエイト
１２  ボス部
１３  第一凹入部（凹入部）
１４  第二凹入部（別の凹入部）
１５  第一中段部（中段部）
１７  開放部
１８  貫通孔
１９  ネジ孔
【図１】
2016010386.tif 000003
【図２】
2016010386.tif 000004
【図３】
2016010386.tif 000005
【図４】
2016010386.tif 000006
【図５】
2016010386.tif 000007
【図６】
2016010386.tif 000008
【図７】
2016010386.tif 000009
【図８】
2016010386.tif 000010
【図９】
2016010386.tif 000011
【図１０】
2016010386.tif 000012
【図１１】
2016010386.tif 000013
【図１２】
2016010386.tif 000014